(57)【要約】【課題】簡単な構成で表示演出効果を高めることができる技術を提供する。【解決手段】遊技盤には、スクリーン８１とパネル８２により構成される投影型の表示部材８０が設けられている。表示部材８０は、前表示面、底表示面、上表示面、下表示面、左表示面、右表示面を有している。前表示面と底表示面は、遊技盤の遊技盤面に直交する方向に配列されているとともに、遊技盤面に平行に配置されている。上表示面、下表示面、左表示面、右表示面は、底表示面と前表示面の間に、遊技盤面に対して傾斜した状態で配置されている。表示部材８０の各表示面には、プロジェクタ７０から投射される画像が表示される。【選択図】図２
2007175363.tif 000002
【特許請求の範囲】
【請求項１】
遊技画像を投射する投射手段と、投射手段から投射された遊技画像を表示する表示面を有する表示手段を備える遊技機であって、前記表示手段の表示面は、少なくとも、第１の表示面と第２の表示面を有していることを特徴とする遊技機。
【請求項２】
請求項１に記載の遊技機であって、遊技盤面が遊技機の前方側を向くように配置される遊技盤を備え、前記表示手段は、前記遊技盤に設けられており、前記第１の表示面と第２の表示面は、前記遊技盤の遊技盤面に直交する方向に配列されていることを特徴とする遊技機。
【請求項３】
請求項１に記載の遊技機であって、遊技盤面が遊技機の前方側を向くように配置される遊技盤を備え、前記表示手段は、前記遊技盤に設けられており、前記第１の表示面と第２の表示面は、前記遊技盤の遊技盤面に平行な方向に配列されていることを特徴とする遊技機。
【請求項４】
請求項２または３に記載の遊技機であって、前記第１の表示面と第２の表示面は、前記遊技盤の遊技盤面に平行となるように配置されていることを特徴とする遊技機。
【請求項５】
請求項１〜４のいずれかに記載の遊技機であって、前記第１の表示面と第２の表示面は、遊技機の前方側から見て、一方の表示面が他方の表示面の周りを囲むように配置されていることを特徴とする遊技機。
【請求項６】
請求項１〜５のいずれかに記載の遊技機であって、前記表示手段の表示面は、前記第１の表示面と第２の表示面の間に配置される第３の表示面を有していることを特徴とする遊技機。
【請求項７】
請求項６に記載の遊技機であって、第３の表示面は、前記遊技盤の遊技盤面に対して傾斜するように配置されていることを特徴とする遊技機。
【請求項８】
請求項６に記載の遊技機であって、前記第３の表示面は、曲面形状に形成されていることを特徴とする遊技機。
【請求項９】
請求項７または８に記載の遊技機であって、前記第１の表示面と第２の表示面は、遊技機の前方側から見て、一方の表示面が他方の表示面の周りを囲むように配置されており、前記第３の表示面は、遊技機の前方側から見て、前記一方の表示面の上側に配置される上表示面、下側に配置される下表示面、左側に配置される左表示面、右側に配置される右表示面を有していることを特徴とする遊技機。
【請求項１０】
遊技画像を投射する投射手段と、投射手段から投射された遊技画像を表示する表示面を有する表示手段を備える遊技機であって、前記表示手段の表示面は、曲面形状に形成された表示面を有していることを特徴とする遊技機。
【請求項１１】
請求項１〜１０のいずれかに記載の遊技機であって、前記表示手段は、透過型スクリーンにより構成され、前記投射手段は、プロジェクタにより構成されていることを特徴とする遊技機。
【発明の詳細な説明】
【技術分野】
【０００１】
本発明は、投影された遊技画像を表示する表示装置を備える遊技機に関し、特に、表示装置の演出効果を高めることができる技術に関する。
【背景技術】
【０００２】
パチンコ機等の遊技機には、遊技演出を行うための種々の演出装置が設けられている。例えば、遊技画像の表示によって遊技演出を行う表示装置、音によって遊技演出を行う音発生装置、光によって遊技演出を行う発光装置等が設けられている。
表示装置として、投影された遊技画像を表示するスクリーンと、スクリーンに遊技画像を投影するプロジェクタにより構成される表示装置を用いた遊技機が提案されている。（特許文献１参照）
特許文献１に記載の遊技機では、光透過性を有するスクリーンが遊技盤に設けられているとともに、遊技盤の後方にプロジェクタが設けられている。スクリーンは、プロジェクタから投射された遊技画像を透過することによって、遊技画像を表示する。
【特許文献１】特開２００４−１０５７０６号公報
【発明の開示】
【発明が解決しようとする課題】
【０００３】
特許文献１に記載の遊技機では、プロジェクタからの投射光を受けるスクリーンとして、１つの平面状のスクリーンを用いている、このため、遊技画像の表示態様の変更には限界があり、演出効果の向上にも限界がある。
本発明は、このような点に鑑みて創案されたものであり、投射された遊技画像を表示する表示手段の表示態様を大きく変化させることができ、それによって演出効果を高めることができる技術を提供することを目的とする。
【課題を解決するための手段】
【０００４】
前記課題を解決するための本発明の第１発明は、請求項１に記載された構成を備える遊技機である。
本発明は、遊技画像を投射する投射手段と、投射された遊技画像を表示する表示面を有する表示装置により構成される投射型の表示装置を備えている。表示装置は、これ以外にも、レンズや反射鏡等の部材を有している。
表示手段及び投射手段としては、典型的には、スクリーンと、スクリーンに遊技画像を投射するプロジェクタが用いられる。スクリーンとしては、公知のスクリーンを用いることができる。遊技機では、光透過性を有するスクリーンを用いるのが好ましい。また、プロジェクタとしても、公知のプロジェクタを用いることができる。
投射手段及び表示手段は適宜の位置に配置することができる。例えば、表示手段を遊技盤に配置し、投射手段を遊技盤の後方（遊技機の後方）に配置することができる。この場合、遊技者が、遊技盤の遊技盤面を通して、表示手段に表示される遊技画像を視認することができるように表示手段が配置される。例えば、遊技盤面に開口を設け、開口を通して表示手段に表示される遊技画像を視認することができるように表示手段が配置される。あるいは、表示手段の表示面を遊技盤面として用いることができる。この場合には、例えば、遊技画像に沿って遊技球が転動する表示態様で演出を行うことができる。
表示手段に投射される遊技画像としては、遊技の演出を行うための種々の画像が用いられる。例えば、パチンコ機では、遊技球が始動入賞口に入ったことに起因して行われる抽選の結果を表示する画像、抽選結果が大当たりとなったことを表示する画像等が用いられる。表示手段には、デモ画像や、店舗情報を含む画像等を表示することもできる。
本発明では、表示手段は、少なくとも、第１の表示面と第２の表示面を有している。勿論、３以上の表示面を有していてもよい。第１の表示面と第２の表示面は、表示面の向き、表示面の位置、表示面の曲率の少なくとも１つが異なっている。第１の表示面と第２の表示面としては、遊技者が認識することができる程度に、表示面の向き、表示面の位置あるいは表示面の曲率のいずれかが異なっている表示面を用いるのが好ましい。
第１の表示面及び第２の表示面の表示態様としては、種々の表示態様を用いることができる。例えば、第１及び第２の表示面に共通の遊技画像の異なる部分画像を表示する表示態様、第１及び第２の表示面に同じ遊技画像を表示する表示態様、第１及び第２の表示面に異なる遊技画像を表示する表示態様等を用いることができる。第１及び第２の表示面の構成と第１及び第２の表示面の表示態様を組み合わせることにより、種々の演出を行うことができる。例えば、複数の遊技画像による演出や、立体的な遊技画像による演出等を行うことができる。
本発明では、表示面の向き、表示面の位置、表示面の曲率のいずれかが異なっている第１及び第２の表示面を有する表示部を用いている。このため、共通の投射手段を用いた簡単な構成で、表示部に表示する遊技画像の表示態様を大きく変更することができる。したがって、演出効果を高めることができる。
【０００５】
本発明の第２発明は、請求項２に記載された構成を備える遊技機である。
本発明では、遊技盤面を有する遊技盤を備えている。遊技盤は、遊技盤の遊技盤面が遊技機の前方側（遊技者側）を向くように配置されている。
そして、第１及び第２の表示面は、遊技盤の遊技盤面に直交する方向に配列されている。
遊技盤面に直交する方向は、遊技機の前後方向に対応する。なお、遊技機の前方側は、遊技者側であり、遊技機の後方側は、遊技者と反対側である。
「第１及び第２の表示面を遊技盤面に直交する方向に配列する」態様としては、遊技盤面に直行する方向に離して配列する態様を用いるのが好ましいが、遊技盤面に直交する方向に接して配列する態様（第１及び第２の表示面間の距離が「０」である態様）を用いることもできる。遊技盤面に平行な方向の配列態様は適宜設定可能である。
本発明では、第１及び第２の表示面が遊技盤面に直交する方向、すなわち、遊技者から見て前後方向に配列されている。このため、簡単な構成で、種々の演出を行うことができる。特に、立体的な遊技画像の表示による演出を効果的に行うことができる。
【０００６】
本発明の第３発明は、請求項３に記載された構成を備える遊技機である。
本発明では、遊技盤面を有する遊技盤を備えている。遊技盤は、遊技盤の遊技盤面が遊技機の前方側（遊技者側）を向くように配置されている。
そして、第１及び第２の表示面は、遊技盤の遊技盤面に平行な方向に配列されている。
遊技盤面に平行な方向は、例えば、遊技者から見て、左右方向、上下方向、斜め方向である。
「第１及び第２の表示面を遊技盤面に平行な方向に配列する」態様としては、遊技盤面に平行な方向に離して配列する態様や、遊技盤面に平行な方向に接して配置する態様（第１及び第２の表示面間の距離が「０」である態様）を用いることもできる。遊技盤面に直行する方向の配列態様は適宜設定可能である。
本発明では、第１及び第２の表示面が遊技盤面に平行な方向に配列されている。このため、簡単な構成で、種々の演出を行うことができる。特に、共通の遊技画像の部分画像を第１及び第２の表示面に表示する演出や、複数の遊技画像を第１及び第２の表示面に表示する演出や、連続する遊技画像を第１及び第２の表示面に表示する演出を効果的に行うことができる。
【０００７】
本発明の第４発明は、請求項４に記載された構成を備える遊技機である。
本発明では、第１及び第２の表示面は、遊技盤の遊技盤面に平行となるように配置されている。
本発明では、例えば、第１及び第２の表示面が、遊技盤面に直交する方向に配列されるとともに、遊技盤面に平行となるように配置される。あるいは、第１及び第２の表示面が、遊技盤面に平行な方向に配列されるとともに、遊技盤面に平行に配置される。
第１及び第２の表示面を遊技盤面に平行に配置することにより、遊技者は、第１及び第２の表示面に表示される遊技画像を容易に視認することができる。これにより、第１及び第２の表示面への遊技画像の表示による演出効果を高めることができる。
【０００８】
本発明の第５発明は、請求項５に記載された構成を備える遊技機である。
本発明では、第１及び第２の表示面が、遊技機の前方側から見て、一方の表示面が他方の表示面の周りを囲むように配置されている。
一方の表示面が他方の表示面の周りを囲むように第１及び第２の表示面を配置することにより、密閉空間の遊技画像（例えば、自動車の車内、部屋の中、迷路、飛行機のコックピット）を効果的に表示することができる。
【０００９】
本発明の第６発明は、請求項６に記載された構成を備える遊技機である。
本発明では、第１の表示面と第２の表示面の間に第３の表示面が配置されている。
第３の表示面を第１及び第２の表示面の間に配置する態様としては、第１及び第２の表示面に接するように配置する態様、第１及び第２の表示面の一方に接するように配置する態様、第１及び第２の表示面と離して配置する態様を用いることができる。
本発明では、例えば、遊技盤面に直行する方向に配列されている第１及び第２の表示面の間に第３の表示面を、第１及び第２の表示面に接するようにあるいは第１及び第２の表示面の少なくとも一方と離して配置される。あるいは、遊技盤面に平行な方向に配列されている第１及び第２の表示面の間に、第３の表示面を、第１及び第２の表示面に接するようにあるいは第１及び第２の表示面の少なくとも一方と離して配置される。
これにより、種々の態様で配置された第１〜第３の表示面への遊技画像の表示により、変化に富んだ表示態様を行うことができる。
【００１０】
本発明の第７発明は、請求項７に記載された構成を備える遊技機である。
本発明では、第３の表示面は、遊技盤の遊技盤面に対して傾斜するように配置されている。
第３の表示面を遊技盤面に対して傾斜させることにより、例えば、遊技機の前方側から見た時に、第１の表示面と第２の表示面との間の、遊技機の前後方向の距離感を強調することができる。また、第１及び第２の表示面に表示される遊技画像により構成される全体画像の立体感を高めることができる。
これにより、第１〜第３の表示面への遊技画像の表示による演出効果を高めることができる。
【００１１】
本発明の第８発明は、請求項８に記載された構成を備える遊技機である。
本発明では、第３の表示面が曲面形状に形成されている。
ここで、遊技盤面に直交する方向から見た第３の表示面の形状を曲面形状に形成するのが好ましい。
曲面形状としては、円弧形状や楕円形状等の種々の曲面形状を用いることができる。また、曲面形状の向きも、第１〜第３の表示面の形状や、第１〜第３の表示面に表示する遊技画像の内容等に応じて適宜選択することができる。
第１及び第２の表示面の間に配置される第３の表示面を曲面形状に形成することにより、第１〜第３の表示面への遊技画像の表示による演出効果を高めることができる。
【００１２】
本発明の第９発明は、請求項９に記載された構成を備える遊技機である。
本発明では、第１の表示面と第２の表示面は、遊技機の前方側から見て、一方の表示面が他方の表示面の周りを囲むように配置されている。また、第３の表示面は、遊技機の前方側から見て、一方の表示面の上側に配置される上表示面、下側に配置される下表示面、左側に配置される左表示面、右側に配置される右表示面を有している。
本発明では、第１及び第２の表示面の一方の表示面が他方の表示面の周りを囲むように第１及び第２の表示面を配置するとともに、一方の表示面と第２の表示面の四方に第３の表示面を配置している。これにより、密閉空間の遊技画像をより効果的に表示することができる。
【００１３】
本発明の第１０発明は、請求項１０に記載された構成を備える遊技機である。
本発明は、遊技画像を投射する投射手段と、投射された遊技画像を表示する表示面を有する表示装置により構成される投射型の表示装置を備えている。
そして、表示手段の表示面は、曲面形状に形成された表示面を有している。ここで、遊技盤面に直交する方向から見た表示面の形状を曲面形状に形成するのが好ましい。
曲面形状としては、円弧形状や楕円形状等の種々の曲面形状を用いることができる。また、曲面形状の向きも、表示面の形状や、表示面に表示する遊技画像の内容等に応じて適宜選択することができる。
表示手段の表示面は、曲面形状に形成された表示面を有していればよく、他の形状の表示面を有していてもよい。例えば、遊技盤面に直交する方向からみて、曲面形状に形成された表示面と、遊技盤面に平行に直線形状に形成された表示面とにより構成することもできる。
画像情報を表示する表示面を曲面形状に形成することにより、遊技機の前方側（遊技者側）から見える遊技画像情報の表示態様を変えることができる。これにより、表示面への遊技画像の表示による演出効果を高めることができる。
【００１４】
本発明の第１１発明は、請求項１１に記載された構成を備える遊技機である。
本発明では、表示手段が、光透過性を有するスクリーンにより構成され、投射手段が、プロジェクタにより構成されている。
これにより、簡単で、安価に表示態様を大きく変化させることができ、したがって、遊技画像の表示による演出効果を高めることができる。
【発明の効果】
【００１５】
請求項１〜１１に記載の遊技機を用いれば、簡単な構成で、遊技画像の表示による演出効果を高めることができる。
【発明を実施するための最良の形態】
【００１６】
以下に、本発明の実施の形態を、図面を参照して説明する。
本発明の第１の実施の形態を図１〜図３に示す。なお、以下に示す各実施の形態は、本発明の表示装置を用いてパチンコ機に構成したものである。図１は、第１の実施の形態の正面図を示す。図２は、図１のＩＩ−ＩＩ線断面図（縦断面図）を示している。図３は、第１の実施の形態の制御系の概略構成を示している。
パチンコ機は、遊技店の島に設けられている基枠に、回動可能に取り付けられる本体枠を有している。本体枠には、遊技球の発射を制御する発射レバー等が設けられている。
また、本体枠には、遊技盤が回動可能に取り付けられている。遊技盤には、発射レバーの操作によって発射された遊技球が移動する遊技領域を形成する遊技盤面が設けられている。遊技盤面には、遊技球の移動方向を帰る釘、入賞口、大入賞口等（図示省略）が設けられている。遊技盤面は、遊技盤に回動可能に取り付けられているガラスによって覆われている。
【００１７】
また、遊技盤には、表示装置９０が設けられている。
本実施の形態では、表示装置９０は、スクリーン８１とパネル８２により構成される表示部材（表示手段）８０と、プロジェクタ７０と、プロジェクタ７０を制御する表示制御回路６０（図３参照）等により構成される、投射型の表示装置が用いられている。なお、表示装置は、これ以外の種々の部材、例えば、レンズや反射ミラー等が設けられる。
スクリーン８１は、光透過性を有する材料により形成され、投射された画像を透過することによって画像を表示する。スクリーン８１としては、種々の構成のスクリーンを用いることができる。パネル８２は、遊技球との衝突によるスクリーン８１の損傷を防止するためのものであり、光透過性を有する材料により形成される。パネル８２としては、光透過性を有し、スクリーン８１を保護することができれば、種々の材料により形成されるものを用いることができる。なお、表示部材８０については、後述する。
プロジェクタ７０は、表示部材８０に表示する画像を投射する。プロジェクタ７０としては、公知の種々の構造のプロジェクタを用いることができる。
本実施の形態では、表示部材は、図１及び図２に示すように、遊技盤の後部（遊技盤を挟んで遊技者と反対側）に配置される。この時、表示部材は、遊技を行う遊技者が、遊技盤面に形成されている開口を介して、表示部材に表示される画像を視認することができるように配置される。
【００１８】
第１の実施の形態の制御系の概略構成を図３により説明する。
本実施の形態のパチンコ機は、主制御回路１０、賞球制御回路２０、副制御回路３０、表示制御回路６０等を有している。
主制御回路１０には、種々の入力信号が入力される。例えば、始動口検出器から出力される始動入賞球検出信号、入賞球検出装置から出力される入賞球検出信号等が入力される。主制御回路１０は、入力信号と、記憶回路１１に記憶されている情報（例えば、制御プログラムや各種の乱数発生プログラム等）に基づいて主制御信号を出力する。例えば、始動入賞球検出信号の入力に応答して行った抽選の結果や演出時間を示す主制御信号を出力する。
賞球制御回路２０は、主制御回路１０から出力される主制御信号と記憶回路２１に記憶されている情報に基づいて、賞球装置に２２に賞球制御信号を出力する。
副制御回路３０は、主制御回路１０から出力される主制御信号と、記憶回路３１に記憶されている情報に基づいて、副制御信号を出力する。例えば、抽選の結果や演出時間に基づいて表示装置９０の表示部材８０に表示する遊技画像等を判定し、判定した遊技画像等を示す副制御信号を表示制御回路３１に出力する。また、表示装置９０の表示部材８０に表示する遊技画像等に対応した音や光による演出を行うための副制御信号をスピーカ４０やランプ（ＬＥＤ）５０に出力する。
を駆動する副制御信号をスピーカ４０に出力する。
表示制御回路６０は、副制御回路２１から出力される副制御信号と記憶回路６１に記憶されている情報に基づいて、表示制御信号をプロジェクタ７０に出力する。
プロジェクタ７０は、表示制御回路６０から出力される表示制御に基づいて、表示部材８０に表示する遊技画像を投射する。
表示部材８０は、プロジェクタ７０から投射された遊技画像を表示する。
【００１９】
次に、本実施の形態の動作を説明する。
主制御回路１０は、始動口検出器から、遊技球が始動入賞装置に入球したことを示す始動入賞球検出信号が入力されると、当たり判定用乱数を読み取り、読み取った当たり判定用乱数が当たり値と一致するか否かを判定する。また、変動時間判定用乱数を読み取る。そして、主制御回路１０は、抽選結果と変動時間を含む主制御信号を副制御回路３０に出力する。
副制御回路３０は、主制御回路１０から出力された主制御信号に含まれている抽選結果が当たりであることを示している場合には、当たり用乱数を読み取る。同時に、主制御信号に含まれている変動時間に対応する当たりパターン用乱数を読み取る。そして、読み取った当たり用乱数と当たりパターン用乱数により、表示装置９０の表示部材８０に表示する遊技画像を決定する。一方、主制御信号に含まれている抽選結果がはずれであることを示している場合には、はずれ用乱数を読み取る。同時に、主制御信号に含まれている変動時間に対応するはずれパターン用乱数を読み取る。そして、読み取ったはずれ用乱数とはずれパターン用乱数により、表示装置９０の表示部材８０に表示する遊技画像を決定する。
そして、決定した遊技画像を示す画像情報を含む副制御信号を表示制御回路６０に出力する。
また、副制御回路２０は、決定したパターンに対応する音の演出を行うための副制御信号をスピーカ４０に出力する。
また、副制御回路２０は、決定したパターンに対応する光の演出を行うための副制御信号をランプ５０に出力する。
表示制御回路６０は、副制御回路３０から出力される副制御信号に含まれている画像情報で示される遊技画像を表示するため表示制御信号をプロジェクタ７０に出力する。
プロジェクタ７０は、入力された表示制御信号に基づいて遊技画像を投射する。
表示部材８０は、プロジェクタ７０から投射された遊技画像を表示する。
なお、以上では、抽選結果を表示する場合について説明したが、これ以外の種々の画像、例えば、抽選結果が当たりとなって場合の大当たり遊技の演出を行うための遊技画像や、デモのためデモ画像等を表示部材８０に表示する際等に、主制御回路１０、副制御回路３０、表示制御回路６０、プロジェクタ７０が動作する。
【００２０】
次に、本実施の形態で用いている表示部材８０の構成を、図４及び図５を用いて説明する。なお、図４は、表示面側（遊技者が視認する側）から見た、表示部材８０の斜視図である。図５は、図４のＶ−Ｖ線断面図である。
表示部材８０は、前述したように、光透過性を有するスクリーン８１とパネル８２により構成されている。スクリーン８１とパネル８２は、接着剤等によって一体に構成されるのが好ましい。
本実施の形態の表示部材８０は、前スクリーン部８１Ａと前パネル部８２Ａにより構成される前表示部（以下、「前表示部８０Ａ」という）を有している。前表示部８０Ａは、外周形状が四角形状である板状部材であり、中心部に四角形状の開口８０ａを有している。前表示部８０Ａの前パネル部８２Ａの表面は、画像が表示される前表示面８２ａとして作用する。
前表示部８０Ａに対し、前表示面８２ａに直交する方向の離れた位置に、底スクリーン部８１Ｂと底パネル部８２Ｂにより構成される底表示部（以下、「底表示部８０Ｂ」という）が設けられている。底表示部８０Ｂは、外周形状が四角形状である板状部材である。
底表示部８０Ｂは、前表示部８０Ａに対し、前スクリーン部８１Ａ側に、開口８０ａに対向する位置に配置される。底表示部８０Ｂの底パネル部８２Ｂの表面は、画像が表示される底表示面８２ｂとして作用する。底表示面８２ｂの面積は、開口８０ａの開口面積より小さく設定されている。
また、底表示面８２ｂと前表示面８２ａは、平行に配置されている。
なお、本明細書では、「平行に配置される」という記載は、厳密に平行に配置されている構成だけでなく、略平行に配置されている構成をも包含するものとして用いられている。
【００２１】
前表示部８０Ａと底表示部８０Ｂとの間には、上スクリーン部８１Ｃと上パネル部８２Ｃにより構成される上表示部（以下、「上表示部８０Ｃ」という）、下スクリーン部８１Ｄと下パネル部８２Ｃにより構成される下表示部（以下、「下表示部８０Ｄ」という）、左スクリーン部８１Ｅと左パネル部８２Ｅにより構成される左表示部（以下、「左表示部８０Ｄ」という）、右スクリーン部８１Ｆと右パネル部８２Ｆにより構成される右表示部（以下、「右表示部８０Ｆ」という）が設けられている。
上表示部８０Ｃ、下表示部８０Ｄ、左表示部８０Ｅ、右表示部８０Ｆは、外周形状が四角形状を有し、開口８０ａの外周辺と底表示部８０Ｂの外周辺との間に設けられている。
上表示部８０Ｃの上パネル部８２Ｃの表面は、画像が表示される上表示面８２ｃとして作用し、下表示部８０Ｄの下パネル部８２Ｄの表面は、画像が表示される下表示面８２ｄとして作用し、左表示部８０Ｅの左パネル部８２Ｅの表面は、画像が表示される左表示面８２ｅとして作用し、右表示部８０Ｆの右パネル部８２Ｆの表面は、画像が表示される右表示面８２ｆとして作用する。
ここで、底表示面８２ｂの面積は開口８０ａの面積より小さく設定され、底表示面８２ｂは、前表示面８２ａと平行に、開口８０ａの中央部に対応するする位置に配置されている。このため、上表示面８２ｃ、下表示面８２ｄ、左表示面８２ｅ、右表示面８２ｆは、開口８０ａの外周辺の位置から、底表示面８２ｂの方向及び中心側に傾斜した状態で配置される。すなわち、上表示面８２ｃ、下表示面８２ｄ、左表示面８２ｅ、右表示面８２ｆは、前表示面８２ａに対して、底表示面８２ｂの方向で、前表示面前８２ａの中心方向に傾斜した状態で配置される。
なお、前表示部８０Ａ、底表示部８０Ｂ、上表示部８０Ｃ、下表示部８０Ｄ、左表示部８０Ｅ、右表示部８０Ｆは、別体に形成してもよいが、一体に形成するのが好ましい。
【００２２】
本実施の形態では、プロジェクタ７０が本発明の「投射手段」に対応し、表示部材８０が本発明の「表示手段」に対応し、前表示面８２ａと底表示面８２ｂの一方が本発明の「第１の表示面」に対応し、前表示面８２ａと底表示面８２ｂの他方が本発明の「第２の表示面」に対応し、上表示面８２ｃ、下表示面８２ｄ、左表示面８２ｅ、右表示面８２ｆが本発明の「第３の表示面」に対応する。
【００２３】
以上のように構成された表示部材８０を、図２に示すように、遊技盤に取り付ける。この時、前表示面８２ａ側が遊技機の前側（遊技者側）に配置され、開口８０ａが遊技盤に形成されている開口と対向するように表示部材８０を取り付ける。ここで、前表示面８２ａと底表示面８２ｂは、遊技盤面に直交する方向に配列されるとともに、遊技盤面と平行に配置され、上表示面８２ｃ、下表示面８２ｄ、左表示面８２ｅ、右表示面８２ｆは、遊技盤面に対して傾斜した状態で配置される。
そして、図５に示すように、表示部材８０のスクリーン８１に、プロジェクタ７０から画像を投射する。この時、表示部材８０に投射された画像は、スクリーン８１、パネル８２を透過する。
これにより、遊技機で遊技を行う遊技者は、遊技盤に形成された開口を介して、表示部材８０に表示される画像を視認することができる。
【００２４】
本実施の形態の表示部材８０を用いた場合に、表示部材８０に表示される画像の視認状態を図６に示す。
図６では、（１）は底表示面８２ｂに画像が表示されている状態、（２）は前表示面８２ａと上表示面８２ｃにまたがって画像が表示されている状態、（３）は上表示面８２ｃと底表示面８２ｂにまたがって画像が表示されている状態、（４）は前表示面８２ａと上表示面８２ｃと底表示面８２ｂにまたがって画像が表示されている状態、（５）は上表示面８２ｃに画像が表示されている状態、（６）は前表示面８２ａと下表示面８２ｄと底表示面８２ｂにまたがって画像が表示されている状態、（７）は下表示面８２ｄに画像が表示されている状態、（８）は下表示面８２ｄと底表示面８２ｂにまたがって画像が表示されている状態、（９）は前表示面８２ａと下表示面８２ｄにまたがって画像が表示されている状態、（１０）は左表示面８２ｅと底表示面８２ｂにまたがって画像が表示されている状態、（１１）は前表示面８２ａと左表示面８２ｅにまたがって画像が表示されている状態、（１２）は左表示面８２ｅに画像が表示されている状態、（１３）は右表示面８２ｆと底表示面８２ｂにまたがって画像が表示されている状態、（１４）は右表示面８ｆａと前表示面８２ａにまたがって画像が表示されている状態、（１５）は右表示面８２ｆに画像が表示されている状態、（１６）は前表示面８２ａに画像が表示されている状態を示している。
図６に示されているように、本実施の形態では、遊技盤面に平行に配置される前表示面８２ａ、底表示面８２ｂに画像を表示する場合には、平面的な表示状態であるが、上表示面８２ｃ、下表示面８２ｄ、左表示面８２ｅ、右表示面８２ｅに画像が表示される場合や複数の表示面にまたがって画像が表示される場合には、立体的な表示状態となる。
特に、傾斜している上表示面８２ｃ、下表示面８２ｄ、左表示面８２ｅ、右表示面８２ｅを利用する場合には、立体表示効果を高めることができる。
したがって、表示部材８０に画像を表示する方法を適宜選択することによって、プロジェクタ７０を用いながら、立体的な表示を行うことができる。
【００２５】
なお、プロジェクタ７０から表示部材８０の各表示面に画像を表示する方法としては、種々の方法を用いることができる。
例えば、前述したように、各表示面内に画像を表示する方法、共通の画像を少なくとも２つの表示面にまたがって表示する（すなわち、共通の画像の部分画像を異なる表示面に表示する）方法、異なる画像を異なる表示面（１つの表示面でもよいし複数の表示面でもよい）に表示する方法等のいずれかあるいは複数の組み合わせを用いることができる。
それぞれの表示方法を用いることによって、それぞれの表示態様で画像を表示することができる。すなわち、画像の表示による演出効果を高めることができる。
【００２６】
第１の実施の形態では、遊技盤面に対して傾斜した状態で配置する上表示面８２ｃ、下表示面８２ｄ、左表示面８２ｅ、右表示面８２ｅを直線状の平面により構成したが、曲面により構成することもできる。
以下に、前表示面と底表示面との間に配置する表示面を局面形状に形成した第２の実施の形態を、図７及び図８を用いて説明する。
第２の実施の形態の表示部材１８０は、第１の実施の形態の表示部材８０と同様に、前スクリーン部１８１Ａと前パネル部１８２Ａにより構成される前表示部（以下、「前表示部１８０Ａ」という）、底スクリーン部１８１Ｂと底パネル部１８２Ｂにより構成される底表示部（以下、「底表示部１８０Ｂ」という）、上スクリーン部１８１Ｃと上パネル部１８２Ｃにより構成される上表示部（以下、「上表示部１８０Ｃ」という）、下スクリーン部１８１Ｄと下パネル部１８２Ｄにより構成される下表示部（以下、「下表示部１８０Ｄ」という）、左スクリーン部１８１Ｅと左パネル部１８２Ｅにより構成される左表示部（以下、「左表示部１８０Ｅ」という）、右スクリーン部１８１Ｆと右パネル部１８２Ｆにより構成される右表示部（以下、「右表示部１８０Ｆ」という）を有している。
そして、前表示部１８０Ａの前パネル部１８２Ａの表面は前表示面１８２ａとして作用し、底表示部１８０Ｂの底パネル部１８２Ｂの表面は底表示面１８２ｂとして作用し、上表示部１８０Ｃの上パネル部１８２Ｃの表面は上表示面１８２ｃとして作用し、下表示部１８０Ｄの下パネル部１８２Ｄの表面は下表示面８２ｄとして作用し、左表示部１８０Ｅの左パネル部１８２Ｅの表面は左表示面１８２ｅとして作用し、右表示部１８０Ｆの右パネル部１８２Ｆの表面は右表示面１８２ｆとして作用する。
また、底表示面１８２ｂの面積は開口１８０ａの面積より小さく設定され、底表示面１８２ｂは、前表示面１８２ａと平行に、開口１８０ａの中央部に対向する位置に配置されている。このため、上表示面１８２ｃ、下表示面１８２ｄ、左表示面１８２ｅ、右表示面１８２ｆは、開口１８０ａの外周辺の位置から、底表示面１８０ｂの方向及び中心側に傾斜した状態で配置される。すなわち、上表示面１８２ｃ、下表示面１８２ｄ、左表示面１８２ｅ、右表示面１８２ｆは、前表示面１８２ａに対して、底表示面１８２ｂの方向で、前表示面１８２ａの中心方向に傾斜した状態で配置される。
【００２７】
本実施の形態では、上表示面１８２ｃ、下表示面１８２ｄ、左表示面１８２ｅ、右表示面１８２ｆを、曲面形状に形成している。曲面形状としては、円弧形状、楕円形状等の種々の曲面形状を用いることができる。
表示面を曲面形状に形成することにより、光の透過方向が変化し、曲面形状に形成された表示面での画像の表示態様が変化する。特に、遊技盤面に直交する方向に配列される前表示面と底表示面との間に設けられる上表示面１８２ｃ、下表示面１８２ｄ、左表示面１８２ｅ、右表示面１８２を曲面形状に形成することにより、画像の表示態様が、直線状の平面に形成した場合に比べて大きく変化する。
【００２８】
なお、第２の実施の形態では、上表示面１８２ｃ、下表示面１８２ｄ、左表示面１８２ｅ、右表示面１８２ｆを曲面形状に形成したが、上表示面１８２ｃ、下表示面１８２ｄ、左表示面１８２ｅ、右表示面１８２ｆ及び底表示面１８２ｂを含めて曲面形状に形成することもできる。この場合、上表示面１８２ｃ、下表示面１８２ｄ、左表示面１８２ｅ、右表示面１８２ｆ、底表示面１８２ｂそれぞれを曲面形状に形成してもよいし、全体を１つの曲面形状の表示面として形成することもできる。この場合には、開口１８０ａを通して遊技者が視認する画像全体の表示態様が変化する。
なお、以上の説明では、上表示面１８２ｃ、下表示面１８２ｄ、左表示面１８２ｅ、右表示面１８２ｆを、外周方向に向いて突状（中心方向に向いて凹状）となる曲面形状に形成したが、内周方向に向いて突状（外周方向に向いて凹状）に形成することもできる。このように構成した場合にも、異なる表示態様で画像が表示される。
このように、曲面形状の表示面を設けることによっても、簡単な構成で、画像の表示態様を大きく変えることができる。
【００２９】
第１の実施の形態では、開口８０ａの面積は底表示面８２ｂの面積より大きく設定したが、開口８０ａの面積を底表示面８２ｂの面積より小さく設定することもできる。
以下に、本発明の第３の実施の形態を、図９及び図１０を用いて説明する。
第３の実施の形態の表示部材２８０は、第１の実施の形態の表示部材８０と同様に、前スクリーン部２８１Ａと前パネル部２８２Ａにより構成される前表示部（以下、「前表示部２８０Ａ」という）、底スクリーン部２８１Ｂと底パネル部２８２Ｂにより構成される底表示部（以下、「底表示部２８０Ｂ」という）、上スクリーン部２８１Ｃと上パネル部２８２Ｃにより構成される上表示部（以下、「上表示部２８０Ｃ」という）、下スクリーン部２８１Ｄと下パネル部２８２Ｄにより構成される下表示部（以下、「下表示部２８０Ｄ」という）、左スクリーン部２８１Ｅと左パネル部２８２Ｅにより構成される左表示部（以下、「左表示部２８０Ｅ」という）、右スクリーン部２８１Ｆと右パネル部２８２Ｆにより構成される右表示部（以下、「右表示部２８０Ｆ」という）を有している。
そして、前表示部２８０Ａの前パネル部２８２Ａの表面は前表示面２８２ａとして作用し、底表示部２８０Ｂの底パネル部２８２Ｂの表面は底表示面２８２ｂとして作用し、上表示部２８０Ｃの上パネル部２８２Ｃの表面は上表示面２８２ｃとして作用し、下表示部２８０Ｄの下パネル部２８２Ｄの表面は下表示面２８２ｄとして作用し、左表示部２８０Ｅの左パネル部２８２Ｅの表面は左表示面２８２ｅとして作用し、右表示部２８０Ｆの右パネル部２８２Ｆの表面は右表示面２８２ｆとして作用する。
また、上表示面２８２ｃ、下表示面２８２ｄ、左表示面２８２ｅ、右表示面２８２ｆは、前表示面２８２ａから、底表示面２８２ｂの方向及び前表示面２８２ａの中心方向に傾斜した状態で配置されている。
【００３０】
また、本実施の形態では、前パネル部２８２Ａに形成される開口２８０ａの面積が、底表示面２８２ｂの面積より小さく設定されている。すなわち、前パネル部２８２Ａに、中心方向に延びる壁スクリーン部２８２Ａａが形成されている。
本実施の形態では、底表示面２８２ｂに表示される画像を、開口２８０ａが配置されている箇所と、壁スクリーン部２８２Ａａが配置されている箇所に分離することができる。これにより、第１の実施の形態と異なる表示態様で画像を表示することができる。
【００３１】
以上の実施の形態では、前表示面と底表示面との間に上表示面、下表示面、左表示面、右表示面を設けたが、上表示面、下表示面、左表示面、右表示面を省略し、前表示面と底表示面のみで構成することもできる。
以下に、本発明の第４の実施の形態を、図１１及び図１２を用いて説明する。
第４の実施の形態の表示部材３８０は、前スクリーン部３８１Ａと前パネル部３８２Ａにより構成される前表示部（以下、「前表示部２８０Ａ」という）を有している。前表示部２８０Ａには、中心側に開口３８０ａが形成されている。前表示部３８０Ａの前パネル部３８２Ａの表面は、前表示面３８２ａとして作用する。
また、底スクリーン部３８１Ｂと底パネル部３８２Ｂにより構成される底表示部（以下、「底表示部３８０Ｂ」という）を有している。
底表示部３８０Ｂの前パネル部３８２Ｂの表面は、底表示面３８２ａとして作用する。
そして、底表示部３８０Ｂは、開口３８０ａに対向する位置に、支持部３８３を介して前表示部３９０Ａに取り付けられる。この時、底表示面３８２ｂが、前表示面３８２ａと平行となるように取り付けられる。なお、支持部３８３は、光透過性を有していない。
【００３２】
本実施の形態では、遊技盤面に直交する方向に配列されているとともに、遊技盤面に平行に配置されている前表示面３８２ａと底表示面３８２ｂにより構成される表示部材３８０を用いている。
ここで、前表示面３８２ａと底表示面３８２ｂは、遊技盤面に直交する方向に離して配列されている。このため、遊技者は、前表示面３８２ａと底表示面３８２ｂに表示されている画像を立体的に視認することができる。すなわち、遊技盤面に直交する方向に配列される前表示面３８２ａと底表示面３８２ｂによって表示部材を構成した場合でも、簡単な構成で、異なる表示態様で画像を表示することができる。
なお、前表示面３８２ａと底表示面３８２ｂが遊技盤面に平行に配置されているのが好ましいが、前表示面３８２ａと底表示面３８２ｂの一方あるいは両方が遊技盤面に平行に配置されていなくても、同様の効果を得ることができる。
【００３３】
遊技盤面に直交する方向に配列されている前表示面と底表示面や、遊技盤面に傾斜した状態で配置される上表示面、下表示面、左表示面、右表示面により構成される表示部材と、プロジェクタによる画像の表示方法を選択することによって、様々な表示態様で画像を表示することができる。
第１の実施の形態の表示部材８０を用いた場合の表示態様の一例を図１３〜図１５に示す。
図１３では、左表示面８０ｅ、右表示面８０ｆと底表示面８０ｂにまたがって壁画像を表示している。これにより、手前から奥の方向に連続する空間を表示することができる。
図１４では、左表示面８０ｅ、右表示面８０ｆに壁画像を表示し、上表示面８０ｂに天井画像を表示し、下表示面８０ｄに床画像を表示している。これにより、部屋空間（密閉空間）を立体的に表示することができる。
図１５では、左表示面８０ｅ、右表示面８０ｆに左右の窓画像を表示し、上表示面８０ｂに天井画像を表示し、底表示面８０ｂに道路画像を表示している。これにより、自動車を運転している臨場感を得ることができる。画像を選択することによって、飛行機を操縦している臨場感を得ることもできる。
また、下表示面８０ｄに傾斜物（例えば、坂道や滝）の画像を表示することによって、より立体的に表示することができる。
【００３４】
本発明は、実施の形態で説明した構成に限定されず、種々の変更、追加、削除が可能である。
例えば、遊技盤面に直交する方向に配列される第１の表示面（前表示面）と第２の表示面（底表示面）を有する表示部材を用いたが、遊技盤面に平行な方向に配列される第１の表示面と第２の表示面を有する表示部材を用いることもできる。この場合には、立体的な表示効果は低くなるが、各表示面に連続する画像を表示する方法、各表示面により構成される全表示面に共通の画像を表示する方法、各表示面に異なる画像を表示する方法等を選択して用いることにより、異なる表示態様で画像を表示することができる。
また、表示部材としては、前表示面、底表示面、上表示面、下表示面、左表示面と右表示面により構成される表示部材、前表示面と底表示面により構成される表示部材、底表示面のみによって構成される表示部材に限定されず、種々の数及び種々の形状の表示面を組み合わせた表示部材を用いることができる。
投射された画像を表示する表示手段（表示部剤）を遊技盤に取り付けたが、表示手段の配設位置は、遊城盤に限定されず適宜の位置を選択することができる。
【００３５】
表示部材の表示面に表示されている遊技画像を、遊技盤面に形成した開口を通して視認することができるように構成したが、表示部材の表示面を遊技盤面として用いるように構成することもできる。例えば、図１６に示すような、スクリーン４８１とパネル４８２により構成される表示部材４８０を用いることができる。図１６に示す表示部材４８０は、前表示面、底表示面、上表示面、下表示面、左表示面、右表示面を有している。ここで、図１６に示す表示装置４９０では、表示部材４８０の前表示面を遊技盤面として用いている。すなわち、前表示面に沿って遊技球が転動するように構成されている。なお、表示部材４８０の前表示面を遊技盤面として用いる場合には、遊技盤面全体に前表示面を配置してもよいし、遊技盤面の一部に前表示面を配置してもよい。
この場合には、「遊技画像を投射する投射手段と、投射手段から投射された遊技画像を表示する表示面を有する表示手段と、遊技媒体が転動する遊技盤面を備える遊技機であって、前記表示手段の表示面は、少なくとも、第１の表示面と第２の表示面を有しているとともに、前記第１の表示面と第２の表示面の一方が遊技盤面として用いられていることを特徴とする遊技機。」として構成することができる。
この技術は、遊技盤面を遊技球が転動する遊技機に好適に用いることができる。なお、表示部材としては、図７〜図１２に示した第２〜第４の実施の形態と同様の構成の表示部材を用いることができる。
このような構成の遊技機を用いることにより、表示部材の表示面に表示される遊技画像と遊技盤面（表示面）に沿った遊技媒体の転動状態による演出を行うことができるため、演出効果をより高めることができる。
【００３６】
また、光透過型の表示手段（表示部材）を用いたが、光反射型の表示手段を用いることもできる。
投射された画像を表示する表示手段（表示部材）を有する表示装置をパチンコ機に用いた場合について説明したが、本発明の表示装置は、パチンコ機以外の種々の遊技機に用いることができる。表示部材の構成、投射手段による画像表示方法、表示部材の配設位置等は、遊技機に応じて適宜設定することができる。
【図面の簡単な説明】
【００３７】
【図１】本発明の第１の実施の形態の正面図である。
【図２】図１のＩＩ−ＩＩ線断面図である。
【図３】本発明の第１の実施の形態の制御系の概略構成図である。
【図４】本発明の第１の実施の形態で用いる表示部材の斜視図である。
【図５】図４のＶ−Ｖ線断面図である。
【図６】本発明の第１の実施の形態で用いる表示部材の作用を説明する図である。
【図７】本発明の第２の実施の形態で用いる表示部材の斜視図である。
【図８】図７のＶＩＩＩ−ＶＩＩＩ線断面図である。
【図９】本発明の第３の実施の形態で用いる表示部材の斜視図である。
【図１０】図９のＸ−Ｘ線断面図である。
【図１１】本発明の第４の実施の形態で用いる表示部材の斜視図である。
【図１２】図１１のＸＩＩ−ＸＩＩ線断面図である。
【図１３】本発明の第１の実施の形態で用いる表示部材に遊技画像を表示した状態を示す図である。
【図１４】本発明の第１の実施の形態で用いる表示部材に遊技画像を表示した状態を示す図である。
【図１５】本発明の第１の実施の形態で用いる表示部材に遊技画像を表示した状態を示す図である。
【図１６】本発明の第５の実施の形態の遊技機の縦断面図である。
【符号の説明】
【００３８】
１０  主制御回路
２０  賞球制御回路
３０  副制御回路
９０  表示装置
６０  表示制御回路
７０、１７０、２７０、３７０、４７０  プロジェクタ（投射手段）
８０、１８、２８０、３８０、４８０  表示部材（表示手段）
８１、４８１  スクリーン
８０ａ、１８０ａ、２８０ａ、３８０ａ  開口
８１Ａ、１８１Ａ、２８１Ａ、３８１Ａ  前スクリーン
８１Ｂ、１８１Ｂ、２８１Ｂ、３８１Ｂ  底スクリーン
８１Ｃ、１８１Ｃ、２８１Ｃ  上スクリーン
８１Ｄ、１８１Ｄ、２８１Ｄ  下スクリーン
８１Ｅ、１８１Ｅ、２８１Ｅ  左スクリーン
８１Ｆ、１８１Ｆ、２８１Ｆ  右スクリーン
８２、４８２  パネル
８２Ａ、１８２Ａ、２８２Ａ、３８２Ａ  前パネル
８２Ｂ、１８２Ｂ、２８２Ｂ、３８２Ｂ  底パネル
８２Ｃ、１８２Ｃ、２８２Ｃ  上パネル
８２Ｄ、１８２Ｄ、２８２Ｄ  下パネル
８２Ｅ、１８２Ｅ、２８２Ｅ  左パネル
８２Ｆ、１８２Ｆ、２８２Ｆ  右パネル
８２ａ、１８２ａ、２８２ａ、３８２ａ  前表示面
８２ｂ、１８２ｂ、２８２ｂ、３８２ｂ  底表示面
８２ｃ、１８２ｃ、２８２ｃ  上表示面
８２ｄ、１８２ｄ、２８２ｄ  下表示面
８２ｅ、１８２ｅ、２８２ｅ  左表示面
８２ｆ、１８２ｆ、２８２ｆ  右表示面
９０、４９０  表示装置
２８２Ａａ  壁スクリーン
３８３  支持部
【図１】
2007175363.tif 000003
【図２】
2007175363.tif 000004
【図３】
2007175363.tif 000005
【図４】
2007175363.tif 000006
【図５】
2007175363.tif 000007
【図６】
2007175363.tif 000008
【図７】
2007175363.tif 000009
【図８】
2007175363.tif 000010
【図９】
2007175363.tif 000011
【図１０】
2007175363.tif 000012
【図１１】
2007175363.tif 000013
【図１２】
2007175363.tif 000014
【図１３】
2007175363.tif 000015
【図１４】
2007175363.tif 000016
【図１５】
2007175363.tif 000017
【図１６】
2007175363.tif 000018